(57)【要約】【課題】印刷物に記載されたＵＲＩを読み取ってインターネットのＷＷＷサーバから該当するコンテンツを取得し表示する携帯型情報端末装置を提供する。【解決手段】人が片手で把持できる程度のサイズの情報端末装置１の上面には、表示装置３、操作スイッチ４、実行ボタン５、スピーカ６、アンテナ７、読み取り開始ボタン８が設けられ、底面にはスキャナ用の読み取り窓が設けられている。印刷物上のＵＲＩを含むエリアの画像を読み取り窓を通じて内部のスキャナで読み取ると、その画像中からＵＲＩが抽出され、内蔵のブラウザが起動される。ブラウザは無線通信回線によって接続されるプロバイダー経由でＵＲＩに対応するコンテンツをインターネット上のＷＷＷサーバから取得し、表示装置３に表示する。【選択図】図１
2006190312.tif 000002
【特許請求の範囲】
【請求項１】
表示装置と、通信装置と、印刷物に表示されたアクセス先情報を読み取る読み取り手段と、該読み取り手段が読み取ったアクセス先情報に基づいて当該アクセス先情報に対応するアクセス先に前記通信装置を介して接続し、当該アクセス先からコンテンツを受信して前記表示装置に表示するブラウザを実行する制御装置と、これらを内蔵する装置筐体とを備え、前記装置筐体の上面に前記表示装置の表示面が設けられ、且つ、前記装置筐体の底面に前記読み取り手段用の読み取り窓が設けられている携帯型情報端末装置。
【請求項２】
前記読み取り手段は前記読み取り窓を通して印刷物上の画像を読み取るスキャナと、該スキャナが読み取った印刷物上の画像に含まれるアクセス先情報を抽出する抽出部とを含む請求項１記載の携帯型情報端末装置。
【請求項３】
前記スキャナが読み取った画像を、ブックマーク画像として記憶するメモリを備えた請求項２記載の携帯型情報端末装置。
【請求項４】
抽出したアクセス先情報が複数存在する場合、それらを表示装置に表示して利用者に選択させる手段を備えた請求項２または３記載の携帯型情報端末装置。
【請求項５】
前記通信装置は移動体通信サービス用の無線通信装置で構成された請求項１記載の携帯型情報端末装置。
【請求項６】
事前に設定されたアクセスポイントの電話番号とユーザ識別子とパスワードを用いて所定のプロバイダーのアクセスポイントに自動的に接続する手段を備えた請求項５記載の携帯型情報端末装置。
【請求項７】
ブラウザによるコンテンツの読み込みが完了した時点で自動的に無線通信回線を切断する手段を備えた請求項５または６記載の携帯型情報端末装置。
【請求項８】
アクセス先情報が、印刷物上に表記されたＵＲＩである請求項１から７の何れかに記載の携帯型情報端末装置。
【請求項９】
印刷物が、文字または静止画より構成される記事内あるいは当該記事の近傍に、その記事に関連する動画像を含むコンテンツのＵＲＩが印刷された刊行物である請求項１記載の携帯型情報端末装置。
【請求項１０】
前記コンテンツに広告情報が含まれる請求項９記載の携帯型情報端末装置。
【請求項１１】
動画像を含むコンテンツをＵＲＩに対応付けてＷＷＷサーバに登録するステップと、
文字または静止画より構成される記事内あるいは当該記事の近傍にその記事に関連する前記コンテンツのＵＲＩを印刷した刊行物を利用者に提供するステップと、
利用者に、携帯型情報端末装置を利用して前記刊行物に印刷されたＵＲＩを読み取らせ、且つ送信させるステップと、
前記携帯型情報端末装置から送信されたＵＲＩに対応するコンテンツを前記ＷＷＷサーバに送信させ、当該携帯型情報端末装置の表示装置に表示させるステップと、
を含む情報提供方法。
【請求項１２】
コンテンツに広告情報を含めるようにした請求項１１記載の情報提供方法。
【請求項１３】
広告情報が付加される記事とその記事の内容に基づき予め設定された広告料金とを対応させて登録してある料金表と、広告主毎の課金情報を保持する課金ファイルとを有する課金サーバを使用して、刊行物の発行業者が広告主から徴収する広告料金を、広告情報を付加する記事に応じて差別化して課金するようにした請求項１２記載の情報提供方法。
【請求項１４】
アクセス数とそのアクセス数に応じた広告料金情報とを対応させて登録してある料金表と、広告主毎の課金情報を保持する課金ファイルとを有する課金サーバを使用して、刊行物の発行業者が広告主から徴収する広告料金を、広告情報のアクセス数に応じて差別化して課金するようにした請求項１２記載の情報提供方法。
【請求項１５】
広告時間帯とその広告時間帯に応じた広告料金情報とを対応させて登録してある料金表と、広告主毎の課金情報を保持する課金ファイルとを有する課金サーバを使用して、刊行物の発行業者が広告主から徴収する広告料金を、広告情報を提供する広告時間帯に応じて差別化して課金するようにした請求項１２記載の情報提供方法。
【請求項１６】
広告情報を提供する形態とその形態に応じた広告料金情報とを対応させて登録してある料金表と、広告主毎の課金情報を保持する課金ファイルとを有する課金サーバを使用して、刊行物の発行業者が広告主から徴収する広告料金を、広告情報を提供する形態に応じて差別化して課金するようにした請求項１２記載の情報提供方法。
【請求項１７】
アクセス元の携帯型情報端末装置の現在位置を検出し、該検出した現在位置に応じた広告情報を選択してコンテンツに含めるようにした請求項１２記載の情報提供方法。
【請求項１８】
携帯型情報端末装置で発生する通信費の少なくとも一部を刊行物の発行業者に課金するようにした請求項１１または１２記載の情報提供方法。
【請求項１９】
携帯型情報端末装置で発生するプロバイダーへの接続費用に少なくとも一部を刊行物の発行業者に課金するようにした請求項１１、１２または１８記載の情報提供方法。
【発明の詳細な説明】
【技術分野】
【０００１】
本発明は情報端末装置に関し、特に印刷物に記載されたＵＲＩを読み取ってインターネットのＷＷＷサーバから該当するコンテンツを取得して表示する携帯型の情報端末装置に関する。
【背景技術】
【０００２】
新聞や雑誌などの印刷物は、一覧性、大量配布の容易さ、手軽さといった特長がある反面、提供できる情報の種類が文字や写真等に限定される。他方、インターネット上のＷＷＷ（Ｗｏｒｌｄ  Ｗｉｄｅ  Ｗｅｂ）サーバから提供されるコンテンツには、文字や静止画のみならず動画や音声も提供できるというマルチメディア性や、迅速な配布が可能となる速報性など、印刷物にはない特長がある。そこで両者の長所を活用するために、最近の新聞や雑誌などの広告欄では、広告記事に加えて製品などを紹介するホームページのＵＲＩ（Ｕｎｉｆｏｒｍ  Ｒｅｓｏｕｒｃｅ  Ｉｄｅｎｔｉｆｉｅｒ）を併せて掲載しているものが多い。
【０００３】
印刷物に記載されたＵＲＩに従って該当するホームページを参照するには、インターネットへの接続機能を有するパーソナルコンピュータ等のコンピュータ上でＷＷＷブラウザを立ち上げ、印刷物に記載されたＵＲＩを目視で読み取ってキーボード入力するのが一般的である。しかし、ＵＲＩは多くの場合、長い文字列であり、また１字でも間違うとアクセスに失敗するため、キー入力作業はかなり面倒な作業になる。
【０００４】
そこで、印刷物に記載されたＵＲＩを手軽にコンピュータに入力し得る技術が従来より幾つか提案されている。例えば特許文献１には、ＵＲＩをバーコード化して印刷物に表記しておき、ワイヤレス式のバーコードリーダによってバーコード化されたＵＲＩを読み取ってコンピュータに送信する技術が示されている。また、同文献１には、ブラウザを自動的に起動する方法、ブラウザにＵＲＩを入力する方法についても記載されている。他方、特許文献２には、印刷物上の画像を入力し文字認識処理によって画像中からＵＲＩを認識してコンピュータに送信するワイヤレス式のリモコンが提案されている。また、同文献２には、印刷物上の画像を入力する画像入力装置および文字認識装置について幾つかの装置が提案されている。
【０００５】
【特許文献１】特開平９−２０４３８９号公報
【特許文献２】特開平１０−１７１７５７号公報
【発明の開示】
【発明が解決しようとする課題】
【０００６】
従来より提案されている上記の技術によって、印刷物に記載されたＵＲＩを手軽に入力することが可能になった。しかし、それだけでは、印刷物に記載されたＵＲＩのコンテンツをどこでも手軽に参照できるわけではない。その理由は、文献１および文献２とも、ＵＲＩの入力装置をワイヤレスなバーコードリーダやリモコンで実現することで持ち運びに便利にしているが、本体側のコンピュータは依然として据え置きタイプの装置を前提としているため、利用場所がコンピュータの設置場所に限定されるからである。
【０００７】
そこで本発明の目的は、印刷物に記載されたＵＲＩを簡便に入力でき、然も入力されたＵＲＩに基づいてコンテンツを取得して表示することができる持ち運びに便利な携帯型の情報端末装置を提供することにある。
【０００８】
また本発明の他の目的は、刊行物に記載された記事に関連する動画像を、携帯型情報端末装置を通じて利用者に提供する方法を提供することにある。
【課題を解決するための手段】
【０００９】
本発明の携帯型情報端末装置は、表示装置と、通信装置と、印刷物に表示されたアクセス先情報を読み取る読み取り手段と、該読み取り手段が読み取ったアクセス先情報に基づいて当該アクセス先情報に対応するアクセス先に前記通信装置を介して接続し、当該アクセス先からコンテンツを受信して前記表示装置に表示するブラウザを実行する制御装置と、これらを内蔵する装置筐体とを備え、前記装置筐体の上面に前記表示装置の表示面が設けられ、且つ、前記装置筐体の底面に前記読み取り手段用の読み取り窓が設けられている。このような携帯型情報端末装置によれば、印刷物上に記載されたアクセス先情報の読み取り、アクセス先との間の通信、ブラウザによるコンテンツの受信及び表示が携帯可能な１つの装置で全て行えるため、印刷物に記載されたアクセス先情報に対応するコンテンツを場所を選ばずに手軽に参照することが可能である。
【００１０】
アクセス先情報は、印刷物上に文字で表記されたＵＲＩであっても良く、またバーコード等によって図形化されて表記されたＵＲＩであっても良い。前者の場合、前記読み取り手段はＯＣＲで実現でき、後者の場合はバーコードリーダで実現できる。また、前記読み取り窓を通して印刷物上の画像を読み取るスキャナと、該スキャナが読み取った印刷物上の画像に含まれるアクセス先情報を抽出する抽出部とを含む読み取り手段であっても良い。この場合、前記スキャナで読み取られた画像を、ブックマーク画像として記憶するメモリを備えるようにしても良い。若し、ＵＲＩが或る記事や画像内あるいはその近傍に印刷されていて、そのＵＲＩのコンテンツがその記事や画像に関連するものである場合、読み取られた画像にはその記事や画像も含まれるため、ブックマーク画像を見れば、そのＵＲＩのコンテンツがどのような内容を含むものか推測でき、ブックマークとしての利用が可能となる。また、抽出されたアクセス先情報が複数存在する場合、それらを表示装置に表示して利用者に選択させるようにしても良い。
【００１１】
また、前記通信装置は、好ましくは移動体通信サービス用の無線通信装置で構成される。その場合、携帯型情報端末装置は、特定のプロバイダーに自動的に接続されるように、事前に設定されたアクセスポイントの電話番号とユーザ識別子とパスワードを用いて所定のプロバイダーのアクセスポイントに自動的に接続する手段を備えるのが望ましい。また、料金の節約のために、ブラウザによるコンテンツの読み込みが完了した時点で自動的に無線通信回線を切断する手段を備えるのが望ましい。
【００１２】
提供するコンテンツの内容は、新聞紙などの印刷物では提供できないマルチメディア性を活用するため、動画像、または動画像と音声で構成するのが望ましい。コンテンツに広告情報など他の情報を含めるようにしても良い。
【００１３】
また上述したような携帯型情報端末装置を利用した本発明の情報提供方法は、動画像を含むコンテンツをＵＲＩに対応付けてＷＷＷサーバに登録するステップと、文字または静止画より構成される記事内あるいは当該記事の近傍にその記事に関連する前記コンテンツのＵＲＩを印刷した刊行物を利用者に提供するステップと、利用者に、携帯型情報端末装置を利用して前記刊行物に印刷されたＵＲＩを読み取らせ、且つ送信させるステップと、前記携帯型情報端末装置から送信されたＵＲＩに対応するコンテンツを前記ＷＷＷサーバに送信させ、当該携帯型情報端末装置の表示装置に表示させるステップとを含んでいる。このような情報提供方法によれば、刊行物だけでは成し得なかった情報量の拡大、質の向上が可能となる。
【発明の効果】
【００１４】
以上説明したように本発明によれば、刊行物等の印刷物上に記載されたアクセス先情報の読み取り、プロバイダー経由によるＷＷＷサーバとの間の通信、ブラウザによるコンテンツの読み取りとその表示が、携帯可能な１つの装置で全て行えるため、印刷物に記載されたアクセス先情報のコンテンツを場所を選ばずに手軽に参照することが可能である。また、このように印刷物に記載されたアクセス先情報のコンテンツを手軽に参照できるため、新聞社などの情報提供者は、刊行物だけでは成し得なかった情報量の拡大、質の向上が可能となる。
【発明を実施するための最良の形態】
【００１５】
次に本発明の実施の形態の例について図面を参照して詳細に説明する。
【００１６】
図１を参照すると、本発明の一実施例の情報端末装置１は、下ケース２ａとこれに嵌合する上ケース２ｂとから成る装置筐体２を有する。装置筐体２は、人が片手で把持できる程度のサイズであり、その上ケース２ｂの上面には、表示装置３、操作スイッチ４、実行ボタン５、スピーカ６及びアンテナ７が設けられている。表示装置３は例えばＬＣＤで構成され、その表示面は上ケース２ｂの上面の半分以上の面積を占める。操作スイッチ４は４つの方向指示部を持つ十字キースイッチであり、何れかの方向指示部を押すことで、表示装置３上のカーソルを上下左右に移動させることができる。実行ボタン５は、カーソルで選択中の操作を起動するボタンである。アンテナ７は、その基部において折り曲げ可能になっており、不使用時は図示する如く上ケース２ｂに沿って倒しておくことができ、使用時は直立させることができる。
【００１７】
また上ケース２ｂには、読み取り開始ボタン８と電源スイッチ９が設けられている。読み取り開始ボタン８は、印刷物上のＵＲＩの読み取りを開始する際に操作するボタンであり、例えば、アンテナ７の下辺りの上ケース２ｂの側面に親指をあてがい、中指と薬指を上ケース２ｂの反対側の側面にあてがって装置筐体２を右手で把持したときに人指し指がくる位置に設けられている。更に下ケース２ａには、ＰＣメモリカード用のスロット１０が設けられている。
【００１８】
情報端末装置２を底面から見た概略を示す図２を参照すると、ほぼ平らな下ケース２ａの底面には、その長手方向（図示のＹ方向）と垂直（図示のＸ方向）に延びるスリット状の読み取り窓１１がある。読み取り窓１１には例えば透明ガラスがはめ込まれている。印刷物上のＵＲＩを含む画像は、この読み取り窓１１を介してＸ方向およびＹ方向に２次元的に走査される。Ｘ方向の走査（主走査）は電気的に行われ、Ｙ方向の走査（副走査）は情報端末装置２自体をＹ方向に移動させることで行われる。このため、Ｙ方向の移動量を検出するための測距用ローラ１２が内蔵されており、その周面の一部が下ケース２ａの底面から突出している。
【００１９】
図３を参照すると、装置筐体２内には、ＭＰＵ３１と、そのバス３２に接続されたＲＯＭ３３、ＲＡＭ３４、表示コントローラ３５、キーインタフェイス３６、スピーカ駆動部３７、通信インタフェイス３８、スキャナインタフェイス３９およびカードインタフェイス４０と、通信インタフェイス３８に接続された無線通信装置４１と、スキャナインタフェイス３９に接続されたスキャナ４２と、電源スイッチ９を介して各部に電力を供給する１次電池あるいは２次電池で構成される電源４３とが内蔵されている。また、表示コントローラ３５は表示装置３に、スピーカ駆動部３７はスピーカ６に、無線通信装置４１はアンテナ７に、それぞれ接続される。キーインタフェイス３６は、操作スイッチ４、実行ボタン５および読み取り開始ボタン８から構成される操作部４４に接続される。更にカードインタフェイス４０は、スロット１０に挿入されるＰＣメモリカード４５と接続される。
【００２０】
ＭＰＵ３１は、情報端末装置１全体の制御を司る制御部であり、このＭＰＵ３１で実行される各種のプログラムや制御用データはＲＯＭ３３に記憶されている。プログラムの代表的なものにＷＷＷブラウザがある。ＷＷＷブラウザには動画再生機能や音声再生機能がプラグイン済である。制御用データの代表的なものに、プロバイダー接続用情報がある。プロバイダー接続用情報には、アクセスポイントの電話番号、ユーザ識別子およびパスワードが含まれる。
【００２１】
ＲＡＭ３４は、スキャナ４２で読み取られた画像やインターネット経由で取得した画像などを一時的に記憶したり、各種のワーク領域として使用される。表示コントローラ３５は、ＭＰＵ３１から指示された画像などを表示装置３に表示する制御を行う。キーインタフェイス３６は操作部４４からのキー入力を割り込み等によってＭＰＵ３１に通知する部分である。スピーカ駆動部３７は、ＭＰＵ３１から伝達されるデジタルな音声信号をアナログ音声信号に変換してスピーカ６を駆動する部分である。
【００２２】
通信インタフェイス３８は、ＭＰＵ３１と無線通信装置４１との間のインタフェイスである。無線通信装置４１は、特定の移動体通信サービスに適合するよう設計されており、インターネットのプロバイダーのアクセスポイントに接続し、インターネットを利用する際に使用される。移動体通信システムとしては、例えばＰＨＳ（Ｐｅｒｓｏｎａｌ  Ｈａｎｄｙｐｈｏｎｅ  Ｓｙｓｔｅｍ）が利用される。勿論、デジタルセルラ等の他の移動体通信システムを利用しても良い。
【００２３】
カードインタフェイス４０は、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）規格に準拠しており、ＰＣメモリカード４５とＭＰＵ３１間のインタフェイスを司る。ＰＣメモリカード４５には取得したコンテンツ等が保存される。
【００２４】
スキャナインタフェイス３９は、スキャナ４２とＭＰＵ３１との間のインタフェイスであり、ＭＰＵ３１からの指示に従ってスキャナ４２を起動したり、スキャナ４２で読み取られた画像データをデジタル信号に変換して、ＲＡＭ３４の所定のエリアに格納する等の処理を司る。
【００２５】
図４を参照すると、スキャナ４２は、読み取り窓１１を通じて印刷物上の読み取り面を照らすランプ５１と、光電変換部５２と、読み取り面からの反射光を屈曲して光電変換部５２に導くミラー５３、５４およびレンズ５５と、測距用ローラ１２の回転角度からＹ方向の移動量を検出して光電変換部５２に出力するエンコーダ５６とから構成され、下ケース２ａの室５７に配置されている。なお、下ケース２ａには、他にＰＣカードのスロット１０を納めた室５８があり、また、上ケース２ｂには表示装置３などその他必要な部品が収納されているが、図示は省略してある。光電変換部５２は、ＣＣＤセンサ等の一次元イメージセンサ５９と、その出力を増幅して信号線６２を通じてスキャナインタフェイス３９に出力する増幅器６０と、一次元イメージセンサ５９の主走査を制御すると共にエンコーダ５６の出力に応じてＹ方向の副走査を制御する制御部６１とを含んでいる。制御部６１は信号線６３を通じてスキャナインタフェイス３９に接続されており、また図示は省略してあるが、ランプ５１のオン、オフを制御するためにランプ５１にも接続されている。
【００２６】
次に上述のように構成された本実施例の情報端末装置１の動作を説明する。
【００２７】
電源スイッチ９がオンされると、内蔵の電源４３から各部に電力が供給され、情報端末装置１が動作可能な状態となる。ＭＰＵ３１は電源が投入されると、図５に示す処理を開始する。先ず、表示コントローラ３５を通じて表示装置３に初期画面を表示し（Ｓ１）、読み取り開始ボタン８がオンされるか、初期画面上の項目が選択されるのを待つ（Ｓ２、Ｓ３）。初期画面上の何れかの項目が操作スイッチ４で選択され、実行ボタン５がオンされると（Ｓ３でＹＥＳ）、選択された項目に応じた処理へと進む（Ｓ４）。この処理については後述する。
【００２８】
他方、利用者が情報処理装置１の読み取り窓１１を印刷物上のＵＲＩが記載されたエリアに当てがって読み取り開始ボタン８をオンすると（Ｓ２でＹＥＳ）、ＭＰＵ３１はスキャナインタフェイス３９を通じてスキャナ４２を起動する（Ｓ５）。起動をかけられたスキャナ４２の制御部６１はランプ５１を点灯させ、一次元イメージセンサ５９上に結像される印刷物上の画像の走査を制御し、画像の読み取りを行う（Ｓ６）。画像の読み取りは、読み取り開始ボタン８がオフされるか、エンコーダ５６で検出されるＹ方向の移動量が一定値に達した時点で停止する。スキャナ４２で読み取られた画像は、スキャナインタフェイス３９によってＲＡＭ３４の所定の領域にブックマーク画像として記憶される（Ｓ７）。
【００２９】
ＭＰＵ３１は、画像の読み込みとその記憶処理が終了すると、ＲＯＭ３３に記憶されたＵＲＩ抽出プログラムを実行することにより、ＲＡＭ３４に今回記憶されたブックマーク画像からＵＲＩを抽出する（Ｓ８）。ＵＲＩ抽出プログラムによるＵＲＩの抽出は、先ず、ブックマーク画像をＯＣＲにおける文字認識処理と同様に文字認識して全ての文字を抽出する。次に、「ｈｔｔｐ：」の文字列を文字認識結果中から検索し、「ｈｔｔｐ：」から次の空白部分までをＵＲＩとして抽出する。
【００３０】
ＭＰＵ３１は、ＵＲＩの抽出処理を終えると、ＲＯＭ３３に記憶されたＷＷＷブラウザを起動する（Ｓ９）。ＷＷＷブラウザが起動されると、表示装置３の画面は初期画面からブラウザ画面へと変化する。ＭＰＵ３１は引き続き、ＲＯＭ３３に記憶されたプロバイダー接続用情報（アクセスポイントの電話番号、ユーザ識別名、パスワード）を読み出し、通信インタフェイス３８を通じて無線通信装置４１からプロバイダーのアクセスポイントに発呼し、接続されたらユーザ識別名とパスワードを送出してプロバイダーに接続する（Ｓ１０）。そして、前記抽出したＵＲＩをＷＷＷブラウザへ入力する（Ｓ１１）。これによりＷＷＷブラウザは、そのＵＲＩを指定したコンテンツ取得要求を無線通信装置４１経由でプロバイダーに送出し、それに応じてインターネット上の該当するＷＷＷサーバから送信されてくるコンテンツを読み込み、文書や画像のコンテンツは表示コントローラ３５を通じて表示装置３に表示し、音声のコンテンツはスピーカ駆動部３７を通じてスピーカ６から出力する（Ｓ１２）。
【００３１】
ＭＰＵ３１は、ＷＷＷブラウザによるＷＷＷサーバからのコンテンツの読み込みが完了すると、通信費を節約するためにプロバイダーとの通信回線を直ちに切断する（Ｓ１３）。通信回線が切断されても、ＷＷＷブラウザは既に読み込んだコンテンツを一定期間繰り返し出力し続ける。利用者は、その一定期間内にブラウザ画面上の保存ボタンを操作スイッチ４で選択し実行ボタン５を押せば（Ｓ１４でＹＥＳ）、今回のコンテンツがカードインタフェイス４０を介してＰＣメモリカード４５に保存される（Ｓ１５）。保存されるコンテンツには、ＷＷＷサーバ側で付与された名前が自動的に付与される。ＷＷＷブラウザは上記一定期間後に処理を終了し、表示装置３の画面は再び初期画面に戻る。
【００３２】
初期画面上には、ブックマークとコンテンツ再生の２つの操作項目がある。ブックマークの操作項目を選択すれば、ＲＡＭ３４に記憶されたブックマーク画像に基づいてコンテンツを取得することができる。また、コンテンツ再生の操作項目を選択すれば、ＰＣメモリカード４５に保存したコンテンツを再生することができる。
【００３３】
図６にブックマークの操作項目が選択されたときの処理例を示す。ＭＰＵ３１は、ＲＡＭ３４に現在まで記憶されたブックマーク画像の一覧（例えば各ブックマーク画像を縮小した画像など）を表示装置３に表示し（Ｓ２１）、利用者に何れか１つを選択させる（Ｓ２２）。ブックマーク画像の選択は、操作スイッチ４を操作してカーソルを選択したいブックマーク画像に位置させ、実行ボタン５を押すことで行える。１つのブックマーク画像が選択された後の処理は、図５で説明したステップＳ８〜Ｓ１５と同様な処理となる（Ｓ２３〜Ｓ３０）。つまり、ＭＰＵ３１は、選択されたブックマーク画像からＵＲＩを抽出し（Ｓ２３）、ＷＷＷブラウザを起動し（Ｓ２４）、プロバイダーへ接続し（Ｓ２５）、ＷＷＷブラウザに前記抽出したＵＲＩを入力する（Ｓ２６）。また、ＷＷＷブラウザは該当するコンテンツをインターネット上のＷＷＷサーバから読み込んで出力し（Ｓ２７）、利用者から保存が指示されたらＰＣメモリカード４５に保存する（Ｓ２９、Ｓ３０）。また、ＭＰＵ３１はコンテンツの読み込みが完了すると、直ちに回線を切断する（Ｓ２８）。
【００３４】
図７にコンテンツ再生項目が選択されたときの処理例を示す。ＭＰＵ３１は、ＰＣメモリカード４５に保存されたコンテンツの一覧（例えば各コンテンツに付与された名前の一覧）を表示装置３に表示し（Ｓ４１）、利用者に何れか１つを選択させる（Ｓ４２）。コンテンツの選択は、操作スイッチ４を操作してカーソルを選択したいコンテンツに位置させ、実行ボタン５を押すことで行える。１つのコンテンツが選択されると、ＭＰＵ３１はＷＷＷブラウザを起動し（Ｓ４３）、ＷＷＷブラウザに前記選択されたコンテンツを出力させる（Ｓ４４）。
【００３５】
以上、情報端末装置の実施例について説明したが、本発明の情報端末装置は以上の実施例に限定されず、以下のような各種の付加変更が可能である。
【００３６】
印刷物上のＵＲＩは文字で表現されているものとしたが、１次元バーコードや２次元バーコード或いはその他の図形で表現されていても良い。バーコード等で表現されている場合、図５のステップＳ８では、ブックマーク画像からバーコード等の所定の図形部分を抽出し、その図形からＵＲＩを検出する。また、スキャナ４２の代わりにバーコードリーダを使っても良い。更にＵＲＩが埋め込まれたバーコードや図形には、そのＵＲＩのタイトル情報が含まれていても良い。この場合、ＵＲＩとタイトル情報とは所定の記号等によって明確に区別されてバーコード等に埋め込まれる。タイトル情報が含まれる場合、図５のステップＳ８でＵＲＩと共にタイトル情報が抽出される。抽出されたタイトル情報は、例えば図５のステップＳ７で記憶されたブックマーク画像のインデックスとして利用される。
【００３７】
印刷物から読み取った画像から抽出されるＵＲＩは１つだけを想定したが、画像に複数のＵＲＩが含まれる場合、それらを全て抽出し、抽出したＵＲＩを表示装置３に表示して利用者に選択させるようにしても良い。前述したようにタイトル情報が含まれる場合、タイトル情報を表示して選択させるようにしても良い。
【００３８】
ブックマーク画像とそれから抽出されたＵＲＩとを対応付けてＲＡＭ３４に保存しておき、ブックマークの操作項目が選択された際のステップＳ２３の処理は、選択されたブックマーク画像に対応して保存されたＵＲＩをＲＡＭ３４から読み込む処理に代えても良い。
【００３９】
手動式のスキャナ４２を使用したが、読み取り窓１１をＹ方向にも大きくとり、光学系（５１、５３、５４、５５）をＹ方向に機械的に移動させる固定式のスキャナを使用することもできる。
【００４０】
プロバイダーへの接続は移動体通信システムを利用した無線によって行ったが、有線電話を利用するようにしても良い。但し、その場合は電話ケーブルが届く範囲内に使用が制限される。
【００４１】
図８は本発明の情報端末装置を活用した情報提供システムの一例を示すブロック図である。図８において、新聞紙７１は、新聞社の新聞製作システム７２によって作成され、駅の売店で販売されたり契約者の各家庭に配達される一般新聞、スポーツ新聞、業界新聞などの新聞である。この新聞紙７１には、文字や写真などで構成された一般記事やスポーツ記事などの記事７３、テレビ番組欄の記事７４、広告欄の記事７５、天気予報欄の記事７６といった各種の記事が印刷されており、各記事中には７３ａ、７４ａ、７５ａ、７６ａに示されるＵＲＩが文字或いはバーコード等によって図形化されて印刷されている。
【００４２】
サーバ７７、７８、７９はコンテンツを格納するＷＷＷサーバであり、インターネット８０に接続されている。新聞製作システム７２は、少なくとも新聞紙７１が購入者の手元に渡る時刻までには、新聞紙７１に記載された各ＵＲＩ７３ａ〜７６ａに対応するコンテンツをサーバ７７〜７９に登録する作業および登録されたコンテンツを確認する作業を終えている。サーバは本例の場合、新聞社が管理運営するサーバ７７と、番組製作者が運営管理するサーバ７８と、広告主が運営管理するサーバ７９とから構成される。広告欄の記事７５に印刷されたＵＲＩ７５ａに対応するコンテンツは、その広告主のサーバ７９に登録され、テレビ番組欄における或る番組を紹介する記事７４に印刷されたＵＲＩ７４ａに対応するコンテンツは、その番組製作者のサーバ７８に登録され、一般記事やスポーツ記事などの記事７３に印刷されたＵＲＩ７３ａに対応するコンテンツは当該新聞紙７１を発行している新聞社のサーバ７７に登録される。
【００４３】
新聞製作システム７２とサーバ７７〜７９とはオンライン接続されており、新聞紙７１に掲載する記事７３〜７６の原稿８１と一緒に渡されるコンテンツ記憶媒体８２に基づき、新聞製作システム７２からサーバ７７〜７９へコンテンツが登録される。新聞社７７が管理運営しないサーバ７８、７９へのコンテンツの登録も新聞製作システム７２から行うのは、自社の発行する新聞紙７１に印刷されたＵＲＩに対応するコンテンツの内容に自社が責任を持つ必要があるためである。勿論、そのような必要のない場合、サーバ７８、７９へのコンテンツの登録作業は番組製作者、広告主に任される。
【００４４】
インターネット８０には、特定のプロバイダーが運営管理する幾つかのアクセスポイント８３、８４があり、他方、新聞紙７１を購入した読者の一部は、本発明にかかる情報端末装置１を持っている。読者は、新聞紙７１の紙面を読んで、興味がある記事中にＵＲＩが記載されていれば、情報端末装置１を使ってそのコンテンツを参照することができる。
【００４５】
各記事７３〜７６に記載されたＵＲＩ７３ａ〜７６ａに対応するコンテンツは、印刷物たる新聞紙７１では提供できないマルチメディア性を活用するため、その記事に関連する動画像、または動画像と音声で構成するのが望ましい。
【００４６】
例えば、記事７３が文字からなる記事の場合、或る文章で表現した場面を実際に撮影した動画像や動画像と音声を含むコンテンツをそのＵＲＩ７３ａに対応して用意しておくと記事の理解に役立つ。また、記事７３が静止画である場合、
（１）その静止画に関連する動画像
（２）その静止画に続く動画像
（３）その静止画に至るまでの動画像
（４）その静止画を途中に含む動画像
とすることができる。勿論、音声を含めても良い。記事７３が例えば人気のあるプロ野球選手がホームランを打った瞬間の写真である場合、投手がボールを投げてからボールがスタンドに入るまでの動画像などが、この種のコンテンツによって提供できる。
【００４７】
また、天気予報欄の記事７６に記載したＵＲＩ７６ａに対応するコンテンツとしては、経時的な天気図を動画で示すコンテンツが考えられる。この場合、サーバ７７上のコンテンツの内容を適宜更新することによって、読者は最新の天気図を得ることができる。また、番組欄中の或る番組の紹介記事７４に記載したＵＲＩ７４ａに対応するコンテンツとしては、その番組の一場面を示す動画像および音声を含むコンテンツとすることができる。また、広告欄７５に記載したＵＲＩ７５ａに対応するコンテンツとしては、その広告が或る映画の広告である場合、その映画のワンシーンや解説などを含む動画像および音声データとすることができる。また、自動車の広告である場合、その自動車が走行する場面を写した動画像とすることができる。音楽プロモーションの動画像を提供することもできる。
【００４８】
コンテンツ中に広告情報を含めておくこともできる。広告情報を付加する方法としては次のような形態がある。
（１）配信する動画像のコンテンツに広告用の静止画または動画像を予めスーパーインポーズしておく。
（２）ＷＷＷサーバにて、配信する動画像のコンテンツの頭、途中あるいは最後に広告用の静止画または動画像を付加する。勿論、これらを予め付加したコンテンツを格納しておいても良い。
（３）ＷＷＷサーバにて、広告用コンテンツのＵＲＩを付加して送信する。この場合、情報端末装置１には、受信したＵＲＩ情報をＵＲＩ記憶領域に記憶する機能、読者にそのＵＲＩを適宜選択させる機能、選択されたＵＲＩに基づいてアクセスし、広告情報を得て表示する機能が付加される。この広告情報も動画像であることが望ましい。広告情報としてのＵＲＩ情報は複数送信しても良い。
【００４９】
新聞社が受け取る広告料金は、広告情報を付加する記事の種類や内容によって差別化することができ、また、前記（１）〜（３）の何れの形態をとるかで差別化することもできる。コンテンツに広告情報を付加する場合、ＷＷＷサーバにて、配信する広告情報の割り当て時間を時間毎に変化させるようにしても良い。すなわち、或る記事に対して、午前は或る社の広告を付加し、午後は他者の広告を付加する。この場合、付加する時間帯に応じて広告料金を差別化することもできる。また、一般にＷＷＷサーバではアクセスログによりコンテンツに対するアクセス頻度が把握可能なので、アクセス頻度に応じて広告料金を決定するようにしても良い。更に、付加する広告情報を読者（情報端末装置１）のいる位置または地域により変えることができる。情報端末装置１の位置検出はＧＰＳやマイクロセルネットワークにより把握可能である。ＷＷＷサーバは端末の位置を取得し、それに応じた広告情報を付加する。
【００５０】
図９に広告情報を含めてコンテンツを提供する場合のサーバ７７の構成例を示す。この例のサーバ７７は、コンテンツサーバ１０１及び課金サーバ１０２の２つのサーバと、コンテンツサーバ１０１に接続されたコンテンツ記憶部１０３、広告用コンテンツ記憶部１０４、広告制御情報テーブル１０５、端末位置登録部１０６、アクセス要求受信部１０７およびコンテンツ送信部１０８と、課金サーバ１０２に接続された課金ファイル１０９、課金制御情報ファイル１１０および課金情報送信部１１１とを備えている。
【００５１】
コンテンツ記憶部１０３は、記事７３に付加されたＵＲＩ７３ａに対応するコンテンツを記憶する記憶部、広告用コンテンツ記憶部１０４は、記事７３に付加する広告用のコンテンツを記憶する記憶部である。前述した広告形態（１）〜（３）の内、広告形態（１）を用いる場合、コンテンツ記憶部１０３中のコンテンツ自体に広告用の静止画または動画像等の広告用コンテンツの内容が予めスーパーインポーズされている。また、配信するコンテンツの頭、途中あるいは最後に広告用のコンテンツを付加する広告形態（２）、および広告用コンテンツのＵＲＩを付加して送信する広告形態（３）の場合、広告用のコンテンツがそのＵＲＩに対応付けて広告用コンテンツ記憶部１０４に格納されている。
【００５２】
端末位置登録部１０６は、例えばマイクロセルネットワークにより情報端末装置１の最新の位置を把握している外部の端末位置検出システム１２０から報告される端末位置情報を記憶する部分であり、情報端末装置１を一意に識別する端末識別子（例えば無線通信装置４１が発呼時に送出するユーザ識別子など）と位置情報との組を保持している。アクセス要求受信部１０７は、インターネット８０から自サーバ７７宛のアクセス要求を受信してコンテンツサーバ１０１に通知する部分である。アクセス要求には、アクセスするコンテンツのＵＲＩ及び端末識別子が含まれる。コンテンツ送信部１０８は、コンテンツサーバ１０１から渡されたコンテンツをインターネット８０経由で指定された相手に送信する部分である。広告制御情報テーブル１０５は、提供する広告に関する各種の制御情報を保持するテーブルであり、その内容例を図１０に示す。
【００５３】
広告制御情報テーブル１０５は、図１０（ａ）に示されるように、記事７３に１対１に対応するエントリ２０１の集合から構成される。或る記事に対応する１つのエントリ２０１は、その記事を一意に識別する記事ＩＤ２０２、その記事中に付加されたＵＲＩ２０３、広告形態２０４および広告情報２０５を含む。広告形態２０４では、前記（１）〜（３）の内の何れの広告形態であるかが示される。広告情報２０５は、広告形態（１）の場合と広告形態（２）、（３）の場合とで異なる。広告形態（１）の場合、図１０（ｂ）に示されるように、広告情報２０５には、スーパーインポーズされた広告を一意に識別する広告ＩＤ２１１が設定される。広告形態（２）及び（３）の場合、図１０（ｃ）に示されるように、時間帯情報２２１と広告決定テーブル名２２２との組が１つ以上設定される。図の例は、時間帯を午前と午後に分け、それぞれに広告決定テーブル名Ａ、Ｂが設定されている。広告決定テーブルＡは、図１０（ｄ）に示されるように、端末位置３１１、午前用の広告コンテンツのＵＲＩ３１２および広告ＩＤ３１３の組を、予め定められた端末位置毎に登録してあるテーブルである。広告決定テーブルＢは、午後用の広告コンテンツのＵＲＩが登録されている点を除き、基本的に午前用の広告決定テーブルＡと同じである。
【００５４】
また課金サーバ１０２に接続された課金ファイル１０９は、広告主に対する課金情報を保持するファイルであり、各広告主毎のレコードが格納されている。或る広告主に対応する１つのレコード４０１は、図１１（ａ）に示されるように、その広告主を一意に識別する広告主ＩＤ４０２、その広告主が出した各広告毎の課金情報４０３およびその広告主に対する合計の広告料金４０４を含む。また、或る広告に対応する１つの課金情報４０３は、図１１（ｂ）に示されるように、その広告のＩＤ４１１、その広告が出された記事のＩＤ４１２、その広告形態４１３、その広告が出される時間帯４１４、アクセス回数４１５及びその広告に対する広告料金４１６を含む。
【００５５】
また課金制御情報ファイル１１０は、課金サーバ１０２が広告料金の算出に使用する料金表を記憶するファイルである。その内容例を図１２に示す。課金制御情報ファイル１１０には、同図（ａ）に示す記事別基本料金表５０１、同図（ｂ）に示す広告形態別料金表５１１、同図（ｃ）に示す広告時間帯別料金表５２１、同図（ｄ）に示すアクセス数別料金表５３１の４種類の料金表が格納される。記事別基本料金表５０１は、各記事ＩＤ毎の基本料金を保持している。基本料金は記事の種類や内容によって差別化されている。広告形態別料金表５１１は、広告形態毎の広告料金の調整率を保持している。例えば、前記広告形態（１）では１００％、広告形態（２）では７０％、広告形態（３）では３０％といった調整率を保持する。広告時間帯別料金表５２１は、広告時間帯毎の広告料金の調整率を保持している。例えば、午前は８０％、午後は１００％といった調整率を保持している。アクセス数別料金表５３１は、アクセス数毎の割増料金を保持している。例えば、アクセス数が或る値Ｘ未満の場合は割増料金０、Ｘ以上、Ｙ未満の場合は基本料金の２０％、Ｙ以上は基本料金の３０％といった内容を保持している。
【００５６】
図１３はコンテンツサーバ１０１の処理例を示すフローチャート、図１４および図１５は課金サーバ１０２の処理例を示すフローチャートである。以下、各図を参照して、コンテンツ中に広告情報を含めて提供する方法および広告主に対する課金方法の具体例について説明する。
【００５７】
コンテンツサーバ１０１は、アクセス要求受信部１０７を通じてインターネット８０からアクセス要求を受信すると、図１３に示す処理を開始する。なお、情報端末装置１から出されるアクセス要求には、ＵＲＩと自装置の端末識別子とが含まれている。先ず、コンテンツサーバ１０１は、図１０（ａ）のＵＲＩ２０３が受信したＵＲＩに一致するエントリを広告制御情報テーブル１０５から検索する（Ｓ５１）。該当するエントリが存在しない場合（Ｓ５２でＹＥＳ）、受信したＵＲＩに対応するコンテンツをコンテンツ記憶部１０３または広告用コンテンツ記憶部１０４から読み出し、コンテンツ送信部１０８を通じてアクセス要求元に送信する（Ｓ５３）。そして、今回の処理を終える。これによって、広告が付加されていない記事に対応するコンテンツや、広告形態（３）によって提供されたＵＲＩの広告コンテンツが情報端末装置１に送られる。
【００５８】
広告制御情報テーブル１０５に受信ＵＲＩと同じＵＲＩを持つエントリが存在した場合（Ｓ５２でＮＯ）、そのエントリ２０１の広告形態２０４が広告形態（１）か否かを判別する（Ｓ５４）。広告形態（１）の場合、受信したＵＲＩに対応するコンテンツをコンテンツ記憶部１０３から読み出し、コンテンツ送信部１０８を通じてアクセス要求元に送信する（Ｓ５５）。これによって、広告用コンテンツがスーパーインポーズされたコンテンツが情報端末装置１に送られる。その後、コンテンツサーバ１０１は、広告情報２０５に含まれる図１０（ｂ）の広告ＩＤ２１１を課金サーバ１０２に通知し（Ｓ５６）、今回の処理を終える。
【００５９】
広告形態が広告形態（１）以外の場合（Ｓ５４でＮＯ）、端末識別子を基に端末位置登録部１０６から当該アクセス元情報端末装置１の現在位置を取得し（Ｓ５７）、また内部時計から現在時刻を取得し（Ｓ５８）、広告決定テーブルに基づいて、提供する広告用コンテンツのＵＲＩを決定する（Ｓ５９）。即ち、先ず現在時刻が午前か、午後かによって図１０（ｃ）の広告決定テーブル名Ａ、Ｂの何れか一方を選択し、次いで選択した広告決定テーブルをアクセスし、前記取得した端末位置に適合する端末位置３１１を持つエントリを検索し、そのエントリ中の広告用コンテンツのＵＲＩ３１２と広告ＩＤ３１３とを取得する。
【００６０】
次にコンテンツサーバ１０１は、広告形態が（２）か否かを判別し（Ｓ６０）、広告形態（２）であれば、受信したＵＲＩに対応するコンテンツをコンテンツ記憶部１０３から読み出すと共に、前記取得したＵＲＩ３１２に対応する広告用コンテンツを広告用コンテンツ記憶部１０４から読み出し、コンテンツ記憶部１０３から読み出したコンテンツに予め定められた方法で広告用コンテンツを付加し、コンテンツ送信部１０８を通じてアクセス要求元に送信する（Ｓ６１）。これによって、広告用コンテンツが頭、途中あるいは最後に付加されたコンテンツが情報端末装置１に送られる。他方、広告形態（３）の場合は（Ｓ６０でＮＯ）、受信したＵＲＩに対応するコンテンツをコンテンツ記憶部１０３から読み出し、そのコンテンツに広告用コンテンツのＵＲＩ３１２を付加して、コンテンツ送信部１０８を通じてアクセス要求元に送信する（Ｓ６２）。何れの場合もその後、コンテンツサーバ１０１は、前記取得した広告ＩＤ３１３を課金サーバ１０２に通知し（Ｓ５６）、今回の処理を終える。
【００６１】
課金サーバ１０２は、コンテンツサーバ１０１から広告ＩＤが通知されると、図１４に示す処理を行う。先ず、その広告ＩＤをキーに図１１に示したような内容を持つ課金ファイル１０９を検索し、同じ広告ＩＤを広告ＩＤ４１１として持つ課金情報４０３を探す（Ｓ７１）。そして、その課金情報４０３中のアクセス数４１５を＋１する（Ｓ７２）。
【００６２】
また課金サーバ１０２は、月末等の所定の期日が到来すると、課金ファイル１０９に記憶された各広告主別の図１１のレコード４０１毎に、図１５に示す処理を実行することにより、当期のその広告主に対する広告料金を計算し請求する。先ず、当該レコード４０１中の或る１つの広告にかかる課金情報４０３に注目し（Ｓ８１）、その記事ＩＤ４１２を基に図１２（ａ）の記事別基本料金表５０１から基本料金を取得する（Ｓ８２）。次に、アクセス数４１５を基に図１２（ｄ）のアクセス数別料金表５３１から割増料金を取得する（Ｓ８３）。次に、広告形態４１３を基に図１２（ｂ）の広告形態別料金表５１１から調整率を、また広告時間帯４１４を基に図１２（ｃ）の広告時間帯別料金表５２１から調整率を、それぞれ取得する（Ｓ８４）。そして、次式により、当該広告に対する広告料金を計算し（Ｓ８５）、広告料金４１６に一時的に設定する。
広告料金＝（基本料金＋割増料金）×広告形態別調整率×時間帯別調整率
【００６３】
課金サーバ１０２は、当該レコード４０１に他の広告にかかる未処理の課金情報４０３が残っていれば（Ｓ８６でＹＥＳ）、残っている１つの課金情報４０３に注目を移し（Ｓ８７）、上述した処理と同じ処理を繰り返すことで、その広告料金を計算する。そして、全ての課金情報４０３についての処理を終えると（Ｓ８６でＮＯ）、各課金情報４０３中の広告料金４１６の合計を計算し、合計料金４０４に設定する（Ｓ８７）。その後、レコード４０１中の広告主ＩＤ４０２で一意に識別される広告主用の請求明細書および請求書を作成する。請求明細書には、各課金情報４０３の内容が記載され、請求書には、広告主ＩＤ４０２および合計料金４０１ならびに請求人のデータが記載される。その後、課金サーバ１０２は、請求明細書および請求書のログを保存する一方、課金情報送信部１１１およびインターネット８０を通じて当該広告主宛に請求明細書および請求書を送信する（Ｓ９０）。そして、課金サーバ１０２は当該レコード４０１を初期化し（Ｓ９１）、当該レコード４０１の処理を終える。この初期化では、合計料金４０４、各課金情報４０３中のアクセス数４１５及び広告料金４１６がそれぞれ０にクリアされる。
【００６４】
以上の具体例では、広告形態および広告時間帯による広告料金の差別化を調整率で実現したが、広告形態・広告時間帯毎に基本料金を設定した表を用いるようにしても良い。また、アクセス数による差別化は割増料金で行ったが、アクセス数別に基本料金を設定した表を用いるようにしても良い。なお、広告形態、広告時間帯、アクセス数によって差別化しない場合、広告形態別調整表５１１、広告時間帯別調整表５２１、アクセス数別調整表５３１は不要であり、記事別基本料金表５０１があれば良い。
【００６５】
ところで、情報端末装置１を使ってプロバイダー経由でインターネット８０上のＷＷＷサーバをアクセスすると、通信費やプロバイダーへの接続費用が発生する。この費用の少なくとも一部を新聞社が負担することにより、読者の負担を減らすことができ、読者に積極的なアクセスを促すことが可能となる。新聞社が費用を負担する仕組みとしては、情報端末装置１で使用する移動体通信サービスの契約者およびプロバイダーの契約者を新聞社とし、新聞契約時に情報端末装置１を読者に貸与する方法などがある。新聞社は、例えば広告収入によりその費用を捻出する。移動体通信サービスを提供している通信業者のセンタは、情報端末装置１でかかった通信費の全部またはその一部を新聞社に課金し、請求する。また、プロバイダーは、情報端末装置１でかかった接続費用の全部またはその一部を新聞社に対して課金し、請求する。通信業者のセンタやプロバイダーの課金センタがインターネット８０に接続されている場合、インターネット８０経由で請求することも可能である。また、通信業者がプロバイダーを兼ねている場合、通信業者が通信費および接続費用の全部または一部を新聞社に課金し、請求する。
【００６６】
図８のシステムでは新聞紙とＷＷＷサーバ上のコンテンツとを関連付けたが、新聞紙以外の刊行物にＵＲＩを記載しておくことで、カタログショッピング雑誌等、他の種類の刊行物とＷＷＷサーバ上のコンテンツを関連付けることも可能である。また、刊行物のような持ち運べる印刷物だけでなく、建物等に固定された印刷物（例えば美術館の作品解説パネルや遊園地などの案内パネル等）にＵＲＩを記載しておくことで、関連する動画像などを利用者に提供するシステムを簡便に構築することができる。
【図面の簡単な説明】
【００６７】
【図１】本発明の一実施例の情報端末装置の外観斜視図である。
【図２】本発明の一実施例の情報端末装置を底面から見た外観斜視図である。
【図３】本発明の一実施例の情報端末装置のハードウェア構成の一例を示すブロック図である。
【図４】スキャナの構成例とその配置場所を示す図である。
【図５】本発明の一実施例の情報端末装置における処理例を示すフローチャートである。
【図６】ブックマークの操作項目が選択されたときの情報端末装置の処理例を示すフローチャートである。
【図７】コンテンツ再生項目が選択されたときの情報端末装置の処理例を示すフローチャートである。
【図８】本発明の情報端末装置を活用した情報提供システムの一例を示すブロック図である。
【図９】広告情報を含めてコンテンツを提供する場合のサーバの構成例を示すブロック図である。
【図１０】広告制御情報テーブルの内容例を示す図である。
【図１１】課金ファイル中の広告主に対応するレコードの内容例を示す図である。
【図１２】課金制御情報ファイルの内容例を示す図である。
【図１３】コンテンツサーバの処理例を示すフローチャートである。
【図１４】課金サーバの処理例を示すフローチャートである。
【図１５】課金サーバの別の処理例を示すフローチャートである。
【符号の説明】
【００６８】
１…情報端末装置
２…装置筐体
２ａ…下ケース
２ｂ…上ケース
３…表示装置
４…操作スイッチ
５…実行ボタン
６…スピーカ
７…アンテナ
８…読み取り開始ボタン
９…電源スイッチ
１０…ＰＣメモリカード用のスロット
１１…読み取り窓
１２…測距用ローラ
【図１】
2006190312.tif 000003
【図２】
2006190312.tif 000004
【図３】
2006190312.tif 000005
【図４】
2006190312.tif 000006
【図５】
2006190312.tif 000007
【図６】
2006190312.tif 000008
【図７】
2006190312.tif 000009
【図８】
2006190312.tif 000010
【図９】
2006190312.tif 000011
【図１０】
2006190312.tif 000012
【図１１】
2006190312.tif 000013
【図１２】
2006190312.tif 000014
【図１３】
2006190312.tif 000015
【図１４】
2006190312.tif 000016
【図１５】
2006190312.tif 000017